(57)【特許請求の範囲】
【請求項１】
取付板の下側で湯水の供給管に接続する混合栓胴体と、この混合栓胴体の上面より取付板を貫通して上方に突出し、混合栓胴体内と連通の蛇口ヘッド用の立上り筒並びにつまみ部材用の立上り筒と、吐水口を備えた蛇口ヘッドと、混合栓胴体の供給口を開閉する弁体を備えたつまみ部材とを設け、蛇口ヘッド用の立上り筒に取付板の上側より蛇口ヘッドを装着すると共に、つまみ部材用の立上り筒に取付板の上側よりつまみ部材を装着してなるユニット用バスデッキ混合栓であって、上記取付板の下側で蛇口ヘッド用の立上り筒並びにつまみ部材用の立上り筒の各外周と間隔を隔てて混合栓胴体上面より突出した各突起リブを設け、この突起リブが貫通すると共に蛇口ヘッド用の立上り筒並びにつまみ部材用の立上り筒の各外周壁にそれぞれ嵌め込まれ、かつ内周壁に内ネジを刻設した中空状の各座金を設け、取付板上面より蛇口ヘッド用の立上り筒と座金との間、並びにつまみ部材用の立上り筒と座金との間にそれぞれ嵌装して各座金の内ネジに螺着する蛇口ヘッド用の取付筒とつまみ部材用の取付筒とを設け、前記蛇口ヘッド用の立上り筒の上部外周壁に刻設したネジに螺着して、蛇口ヘッド用の取付筒の上面に当接する固定部材にて蛇口ヘッドを取付筒に装着すると共に、つまみ部材用の立上り筒の上部外周壁に刻設したネジに螺着して、つまみ部材用の取付筒の上面に当接する固定部材にてつまみ部材を取付筒に回動自在に装着することを特徴としたユニット用バスデッキ混合栓の取付け構造。
【発明の詳細な説明】
【０００１】
【発明の属する技術分野】
本発明はユニット用バスデッキの混合栓の取付け構造に関するものである。
【０００２】
【従来の技術】
従来、ユニット用バスデッキの混合栓は図４に示すように、取付板２の下側で湯水の供給管に接続する混合栓胴体４と、この混合栓胴体４の上面より取付板２を貫通して上方に突出し、混合栓胴体内を連通の蛇口ヘッド用の立上り筒６並びにつまみ部材用の立上り筒７と、吐水口を備えた蛇口ヘッド１３と、混合栓胴体４の供給口３を開閉する弁体１４を備えたつまみ部材１５とを設け、蛇口ヘッド用の立上り筒６上部外周壁にネジを刻設し、このネジに螺着して、パッキン２０を介して取付板２上面に当接する立上りナット３２にて蛇口ヘッド１３を内筒３２を介して立上り筒６に装着すると共に、つまみ部材用の立上り筒７内周壁にネジを刻設し、このネジに螺着するガイド３４を設け、このガイド３４の上部外周壁にネジを刻設し、このネジに螺着してパッキン２１を介して取付板２上面に当接する立上りナット３５にてつまみ部材１５をガイド３４に装着して取付けていた。
【０００３】
しかしながら、このユニット用バスデッキの混合栓１の取付け構造にあっては、取付板２の下側で混合栓胴体４に近い蛇口ヘッド用の立上り筒６並びにつまみ部材用の立上り筒７の下部外周にフランジ部３６、３７を設けて、この各フランジ部３６並びにフランジ部３７を取付板２の下側より当接する一方、取付板２の上側よりパッキン２０、２１を介して各立上りナット３２、３５にて取付板２を挟み着けるようにしていたために、この取付板２の厚みの違いによって、取付板の上面から吐水口高さ位置並びにつまみの回動可能な高さ位置が変化することとなって、吐水口並びにつまみ高さ位置を同一高さ寸法に規定できなかった。
【０００４】
即ち、取付板の厚さが薄いときは吐水口位置が高すぎて水滴が飛散すると同時につまみ位置も高くなり、つまみの回動巾距離も大きく、この取付板とつまみとのスペースが大きすぎることとなり、また取付板の厚さが厚いときは、吐水口位置が低すぎて洗いにくいと同時につまみも低くなり、つまみの回動巾距離が少なくて十分な供給口の弁開放、弁閉鎖ができないという問題点があった。
この取付け構造では取付板の下面を取付け基準面としていることにより問題が発生するものであり、この取付け基準面を取付板２の上面としたものとして、図５に示すような構造のものが考えられた。
尚、蛇口ヘッド、つまみ部材とも取付けに際しては同様であるのでつまみ部材用について説明すると、この取付け構造は混合栓胴体４の上面より取付板２を貫通して上方に突出し、混合栓胴体内と連通の立上り筒７の外周壁にネジを刻設し、このネジに螺着した下部座金３８を取付板２の下側に配置後、取付板２の上側より上部座金３９を立上り筒７のネジに螺着して、取付板２の上下両側よりパッキン４０、４０を介して固定している。この固定することにより、取付け基準面が取付板上面となって、吐水口並びにつまみ高さ位置を常に同一高さ寸法に規定することができた。
【０００５】
【発明が解決しようとする課題】
しかしながら、この種のユニット用バスデッキ混合栓の取付け構造では、取付け基準面を取付板の上面として、吐水口並びにつまみ高さ位置を同一高さ寸法に規定することができても取付け作業時、取付板の下側の下部座金を回動操作することが困難であり、蛇口ヘッド並びにつまみ部材を確実に取付けができないという問題点があった。
【０００６】
そこで、本発明はこのような従来のユニット用バスデッキ混合栓の取付け構造が有していた課題を解決したものであって、取付板上の蛇口ヘッド並びにつまみ部材が簡単に固定できて、取付け作業が極めて容易となると共に、取付板上面を基準面として吐水口並びにつまみの高さ位置を同一高さ位置に規定することができることを目的としたユニット用バスデッキ混合栓の取付け構造を提供するにある。
【０００７】
【課題を解決するための手段】
上記目的を達成するために、本発明のユニット用バスデッキ混合栓の取付け構造は、取付板の下側で湯水の供給管に接続する混合栓胴体と、この混合栓胴体の上面より取付板を貫通して上方に突出し、混合栓胴体内と連通の蛇口ヘッド用の立上り筒並びにつまみ部材用の立上り筒と、吐水口を備えた蛇口ヘッドと、混合栓胴体の供給口を開閉する弁体を備えたつまみ部材とを設け、蛇口ヘッド用の立上り筒に取付板の上側より蛇口ヘッドを装着すると共に、つまみ部材用の立上り筒に取付板の上側よりつまみ部材を装着してなるユニット用バスデッキ混合栓であって、上記取付板の下側で蛇口ヘッド用の立上り筒並びにつまみ部材用の立上り筒の各外周と間隔を隔てて混合栓胴体上面より突出した各突起リブを設け、この突起リブが貫通すると共に蛇口ヘッド用の立上り筒並びにつまみ部材用の立上り筒の各外周壁にそれぞれ嵌め込まれ、かつ内周壁に内ネジを刻設した中空状の各座金を設け、取付板上面より蛇口ヘッド用の立上り筒と座金との間、並びにつまみ部材用の立上り筒と座金との間にそれぞれ嵌装して各座金の内ネジに螺着する蛇口ヘッド用の取付筒とつまみ部材用の取付筒とを設け、前記蛇口ヘッド用の立上り筒の上部外周壁に刻設したネジに螺着して、蛇口ヘッド用の取付筒の上面に当接する固定部材にて蛇口ヘッドを取付筒に装着すると共に、つまみ部材用の立上り筒の上部外周壁に刻設したネジに螺着して、つまみ部材用の取付筒の上面に当接する固定部材にてつまみ部材を取付筒に回動自在に装着する構成としたものである。
【０００８】
【発明の実施の形態】
以下、本発明の実施例について図に基づき説明する。なお、この発明はそれによって限定されるものではない。
図中、図１は本発明実施例のユニット用バスデッキ混合栓の一部縦断面図、図２は本発明実施例のユニット用バスデッキ混合栓の要部を示す分解斜視図、図３（Ａ）、図３（Ｂ）は本発明実施例の取付板の厚みを変化した状態を示す一部縦断面図である。
【０００９】
ユニット用バスデッキ混合栓１は取付板２の下側で湯水の供給管に接続する混合栓胴体４と、この混合栓胴体４と一体に成形されかつ混合栓胴体４上面より取付板２の透孔５を貫通して上方に突出した蛇口ヘッド用の立上り筒６とつまみ部材用の立上り筒７と、この各立上り筒６、並びに７の各外周と間隔を隔てて混合栓胴体４上面より突出した突起リブ８，８，８，８と、取付板２下側で各立上り筒６並びに７の外周に嵌合した各座金９、１０と、各座金９、１０に螺着する蛇口ヘッド用の取付筒１１並びにつまみ部材用の取付筒１２と、吐水口を備えた蛇口ヘッド１３並びに混合栓胴体４の供給口３を開閉する弁体１４を備えたつまみ部材１５と、蛇口ヘッド１３を取付筒１１に装着する固定部材１６並びにつまみ部材１５を取付筒１２に装着する固定部材１７とから構成されている。このつまみ部材１５は、湯用および水用として蛇口ヘッド１３の左右に設けられており、図１は、例えば水用のつまみ部材１５のみを示している。
【００１０】
５０は、冷水と湯が混合される混合室である。そして、蛇口ヘッド用の立上り筒６並びにつまみ部材用の立上り筒７は共に、上部外周壁にそれぞれ雄ネジを刻設している。この蛇口ヘッド用の立上り筒６とつまみ部材用の立上り筒とは同形状に形成してもよい。
【００１１】
混合栓胴体４の上面より突出した突起リブ８は立上り筒の周りに嵌め込まれた後述の取付筒がこの取付筒の外側の後述の座金に螺込まれ、この座金の貫通孔に挿入されるように立上り筒との間の隙間を開けている。
この突起リブ８は立上り筒６の左右にそれぞれ突出しており、また立上り筒７の左右にもそれぞれ突出している。
この立上り筒６の上方より嵌め込まれ、取付板２の下側に配置される座金９はナット状に形成して、その内周壁に後述の取付筒１１を螺着する雌ネジを刻設し、その内周壁より離れた外側に突起リブ８を挿入する上下に貫通の貫通孔１８、１８を穿設している。
この立上り筒７の上方より嵌め込まれ、取付板２の下側に配置される座金１０は座金９と同様で、ナット状に形成して、その内周壁に後述の取付筒１２を螺着する雌ネジを刻設し、その内周壁より離れた外側に突起リブ８を挿入する上下に貫通の貫通孔１９、１９を穿設している。この座金９と座金１０とは同一形状に形成してもよい。
２０並びに２１は取付板２と座金９並びに座金１０との間に挟まれたパッキンである。
【００１２】
蛇口ヘッド用の取付筒１１は外周壁に座金９の雌ネジに螺着する雄ネジを刻設して中空筒状に形成しており、上端に外側に拡がった平板状の環状フランジ２２を一体形成している。
この取付筒１１は装着時、立上り筒６の雄ネジよりも下方に環状フランジ部２２が位置するように配置されている。
つまみ部材用の取付筒１２は蛇口ヘッド用の取付筒１１と同様で、外周壁に座金１０の雌ネジに螺着する雄ネジを刻設して中空筒状に形成しており、上端に外側に拡がった平板状の環状フランジ２３を一体形成している。
この取付筒１２は装着時、立上り筒７の雄ネジよりも下方に環状フランジ部２３が位置するように配置されている。この取付筒１１と取付筒１２とは同一形状に形成してもよい。
２４並びに２５は取付板２と取付筒１１の環状フランジ部２２並びに取付筒１２の環状フランジ部２３との間に挟まれたパッキンである。
【００１３】
蛇口ヘッド１３は、その先端を吐水口とし、後端を取付筒１１を介して混合室５０と連通している。
この蛇口ヘッド１３は下部を細い筒状に形成して、この筒状部を立上り筒６の上方より内部に嵌合している。
固定部材１６はナット状に形成されており、中空内周壁に立上り筒６の雄ネジに螺着する雌ネジを刻設している。
この固定部材１６は立上り筒６の雄ネジに螺着すると同時に取付筒１１に嵌合した蛇口ヘッド１３の筒状部上部を嵌合している。この固定部材１６は下面を取付筒１１の環状フランジ部２２上面に当接している。
２６は固定部材１６及び取付筒１１の環状フランジ部２２を覆うカバー筒である。
【００１４】
つまみ部材１５は供給口３を開閉する弁体１４と、この弁体１４を上下動させ、立上り筒７の中央に垂設した栓棒２７と、栓棒の上端に装着したつまみ２８と、立上り筒７内と栓棒２７との間の隙間を閉鎖する三角パッキン２９並びにパッキン押え筒３０と、これらを外側より覆うガイド筒３１とからなっている。
つまみ２８は栓棒２７の周方向に回動自在に装着している。この栓棒２７はつまみ回動により螺旋状に上下動している。
固定部材１７はナット状に形成されており、中空内周壁に立上り筒７の雄ネジに螺着する雌ネジを刻設している。この固定部材１７は立上り筒７の雄ネジに螺着すると共に、下面を取付筒１２の環状フランジ部２３上面に当接している。
３２は固定部材１７及び取付筒１２の環状フランジ部２３を覆うスカート筒である。
【００１５】
このユニット用バスデッキ混合栓の取付けを図３（Ａ）、図３（Ｂ）に示す取付板２の厚みを変化した状態で説明する。
尚、蛇口ヘッド１３の場合も、つまみ部材１５の場合も同様に取付けできるので、蛇口ヘッド１３の取付けについて行うと、混合栓胴体４の立上り筒６の上方より座金９を差し込み座金９の貫通孔１８内に突起リブ８，８を挿入する。この座金９の上面にパッキン２０をセットした状態で取付板２の下方より取付板２の透孔５に立上り筒６を貫通して取付板２上方に立上り筒６の上部を突出させ、次に、取付板２上面の立上り筒６外周にパッキン２４を張設し、上方よりこのパッキン２４と立上り筒６との環状の隙間に向けて環状フランジ部２２を上方にして取付筒１１を差し込み、取付板２を貫通した取付筒１１の雄ネジを座金９の雌ネジに螺着する。
【００１６】
このとき、取付板２が厚いときには、突起リブ８は取付板２下面に近く、取付板２と混合栓胴体４との距離は短くなる〔図３（Ａ）参照〕。
また、取付板２が薄いときには突起リブ８は取付板２下面より遠く、取付板２と混合栓胴体４との距離は長くなる〔図３（Ｂ）参照〕。
次に、固定部材１６を筒状部上部に嵌合した蛇口ヘッド１３を立上り筒６の上方より差し込んで蛇口ヘッド１３の筒状部を立上り筒６の内部に嵌合み、固定部材１６を回動して、立上り筒６の雄ネジに螺着し、この固定部材１６の下面を取付筒１１の環状フランジ部２２上面に当接すればできあがる。
このとき、取付板２の厚みの変化によって取付板２下面と突起リブ８並びに混合栓胴体４との距離は変化するが、取付板２上面と混合栓胴体４との距離は常に変化することなく一定となる。
【００１７】
以上、本発明の代表的と思われる実施例について説明したが、本発明は必ずしもこれらの実施例構造のみに限定されるものではなく、本発明にいう前記の構成要件を備え、かつ、本発明にいう目的を達成し、以下にいう効果を有する範囲内において適宣改変して実施することができるものである。
【００１８】
【発明の効果】
以上の説明から既に明らかなように、本発明にいうところのユニット用バスデッキ混合栓の取付け構造は取付板の下側で蛇口ヘッド用の立上り筒並びにつまみ部材用の立上り筒の各外周と間隔を隔てて混合栓胴体上面より突出した突起リブを設け、この突起リブが貫通すると共に蛇口ヘッド用の立上り筒並びにつまみ部材用の立上り筒の各外周壁にそれぞれ嵌め込まれ、かつ内周壁に内ネジを刻設した中空状の各座金を設け、取付板上面より蛇口ヘッド用の立上り筒と座金との間、並びにつまみ部材用の立上り筒と座金との間にそれぞれ嵌装して各座金の内ネジに螺着する蛇口ヘッド用の取付筒とつまみ部材用の取付筒とを設け、前記蛇口ヘッド用の立上り筒の上部外周壁に刻設したネジに螺着して、蛇口ヘッド用の取付筒の上面に当接する固定部材にて蛇口ヘッドを取付筒に装着すると共に、つまみ部材用の立上り筒の上部外周壁に刻設したネジに螺着して、つまみ部材用の取付筒の上面に当接する固定部材にてつまみ部材を取付筒に回動自在に装着する構成としたものであるから、取付板上方より各部品が組み込まれ、取付板上の蛇口ヘッド並びにつまみ部材が簡単に装着できて、取付作業が極めて容易となると共に、取付板上面と混合栓胴体との距離は常に一定となるために取付板上面を基準面として吐水口並びにつまみの高さ位置を同一高さ位置と規定することができるという顕著な効果を期待することが出来るに至ったのである。
【図面の簡単な説明】
【図１】  本発明実施例のユニット用バスデッキ混合栓の一部縦断面図である。
【図２】  本発明実施例のユニット用バスデッキ混合栓の要部を示す分解斜視図である。
【図３】  本発明実施例の取付板の厚みを変化した状態を示す一部縦断面図である。
【図４】  従来のユニット用バスデッキ混合栓の一部縦断面図である。
【図５】  従来の他のユニット用バスデッキ混合栓の一部縦断面図である。
【符号の説明】
１…ユニット用バスデッキ混合栓、２…取付板、３…供給口、４…混合栓胴体、５…透孔、６…立上り筒、７…立上り筒、８…突起リブ、９…座金、１０…座金、１１…取付筒、１２…取付筒、１３…蛇口ヘッド、１４…弁体、１５…つまみ部材、１６…固定部材、１７…固定部材、１８…貫通孔  、１９…貫通孔、２０…パッキン、２１…パッキン、２２…環状フランジ部、２３…環状フランジ部、２４…パッキン、２５…パッキン、２６…カバー筒、２７…栓棒、２８…つまみ、２９…三角パッキン、３０…パッキン押え筒、３１…ガイド筒、３２…立上りナット、３３…内筒、３４…ガイド、３５…立上りナット、３６…フランジ部、３７…フランジ部、３８…下部座金、３９…上部座金、４０…パッキン。
【図１】
0004098881.tif 000002
【図２】
0004098881.tif 000003
【図３】
0004098881.tif 000004
【図４】
0004098881.tif 000005
【図５】
0004098881.tif 000006